(57)【要約】【課題】回転体を効率よく立て起こすことができ、大きなクレーンを不要にすることができる回転体設置方法及び回転体設置装置を提供する。【解決手段】昇降される昇降部３０を備えたリフトアップ装置を用いて、発電機タワー１１に、複数のブレードＢ１を備えた回転体Ｒ０を設置する。この場合、回転体Ｒ０の重心位置に対して、回転体Ｒ０を発電機タワー１１への取付時に必要な角度で立て起こし可能な吊り位置で、回転体Ｒ０をリフトアップ装置の昇降部３０に吊り下げる。回転体Ｒ０のブレードＢ１の先端を、ワイヤＷ０を介してクレーンで介錯した状態で、回転体Ｒ０を吊り下げた昇降部３０を上昇させることにより、回転体Ｒ０を立て起こした後、回転体Ｒ０を発電機タワー１１に取り付ける。【選択図】図５
2018178633.tif 000002
【特許請求の範囲】
【請求項１】
昇降される昇降部を備えたリフトアップ装置を用いて、塔状構造物に、複数のブレードを備えた回転体を設置する方法であって、
前記回転体の重心位置に対して、前記回転体を前記塔状構造物への取付時に必要な角度で立て起こし可能な第１の部位において、前記回転体をリフトアップ装置の昇降部に吊り下げ、
前記ブレードの第２の部位を介錯した状態で、前記回転体を吊り下げた前記昇降部を上昇させることにより、前記回転体を立て起こした後、前記回転体を前記塔状構造物に取り付けることを特徴とする回転体設置方法。
【請求項２】
前記回転体を前記塔状構造物に取り付ける傾きにした場合に、前記回転体の重心の鉛直方向の上方位置に、前記第１の部位を設けたことを特徴とする請求項１に記載の回転体設置方法。
【請求項３】
前記回転体を、前記昇降部の載置台上で組み立て、前記回転体を載置台から取り外して、前記昇降部に吊り下げることを特徴とする請求項１又は２に記載の回転体設置方法。
【請求項４】
前記昇降部は、１対の門型フレームと、これら門型フレームを中央で連結する連結部に設けられた吊り下げ部とを備え、
前記門型フレームの間に前記ブレードを配置して、前記回転体を組み立て、
前記吊り下げ部に吊り下げることを特徴とする請求項１〜３の何れか１項に記載の回転体設置方法。
【請求項５】
１対の門型フレームと、前記門型フレームの中央で連結する連結部の吊り下げ部とを備えた昇降部を昇降させるリフトアップ装置を備え、塔状構造物に、複数のブレードを備えた回転体を設置するために用いられる回転体設置装置であって、
前記吊り下げ部に吊り下げられた前記回転体のブレードの部位を介錯する介錯部を備えたことを特徴とする回転体設置装置。
【発明の詳細な説明】
【技術分野】
【０００１】
本発明は、ブレードを備えた風力発電装置等において、塔状構造物に回転体を設置する回転体設置方法及びこの回転体設置方法に用いる回転体設置装置に関する。
【背景技術】
【０００２】
風力発電機では、最上部に位置するナセル等が重量物であるため、従来、大型クレーンを使用しての施工が一般的である。しかし、大型クレーンを用いる場合には、強風時の施工困難や大型クレーンの設置場所の確保等の制約がある。
【０００３】
そこで、発電機タワーの周囲にガイドタワーを配置し、このガイドタワーに昇降部を取り付けて、風力発電機を設置する技術が検討されている（例えば、非特許文献１参照。）。この非特許文献１においては、発電機タワーの周囲にガイドタワーを配置し、このガイドタワーに昇降部を取り付ける。そして、ガイドタワーの昇降部を用いてナセルを発電機タワーの最上部に持ち上げて取り付ける。更に、回転体を地上で組み立てた後に、クレーンで姿勢を変えてナセルに取り付ける。
【０００４】
地上で回転体を組み立てるためには、周囲に広い空間が必要になる。そこで、ガイドタワーに設けた昇降部上で回転体を組み立てる技術も検討されている（例えば、特許文献１参照。）。この特許文献１においては、昇降部上で、ブレードを備えた回転体を組み立てる。
【先行技術文献】
【特許文献】
【０００５】
【特許文献１】特開２００７−１９２０７０号公報
【非特許文献】
【０００６】
【非特許文献１】株式会社巴技研、「ウインドリフト工法（ウインドリフト装置）」、［online］、［平成２９年４月４日検索］、インターネット〈URL：http://www.tomoegiken.co.jp/lso/method/liftupsystem_windlift.html〉
【発明の概要】
【発明が解決しようとする課題】
【０００７】
特許文献１においては、ブレードが接地しない高さ以上の位置で、回転体を立て起こす。このため、高い位置で姿勢変更する場合に用いる大きなクレーンが必要であり、作業も煩雑であった。
【課題を解決するための手段】
【０００８】
・上記課題を解決するための回転体設置方法は、昇降される昇降部を備えたリフトアップ装置を用いて、塔状構造物に、複数のブレードを備えた回転体を設置する方法であって、前記回転体の重心位置に対して、前記回転体を前記塔状構造物への取付時に必要な角度で立て起こし可能な第１の部位において、前記回転体をリフトアップ装置の昇降部に吊り下げ、前記ブレードの第２の部位を介錯した状態で、前記回転体を吊り下げた前記昇降部を上昇させることにより、前記回転体を立て起こした後、前記回転体を前記塔状構造物に取り付ける。これにより、昇降部を上昇させることにより、第１の箇所が第２の箇所よりも高くなり、回転体の傾きを変更することができる。そして、最終的に第１の箇所のみにより吊り下げて立て起こし、回転体を塔状構造物に取り付けることができる。
【０００９】
・上記回転体設置方法において、前記回転体を前記塔状構造物に取り付ける傾きにした場合に、前記回転体の重心の鉛直方向の上方位置に、前記第１の部位を設けることが好ましい。これにより、第１の箇所のみにより吊り下げた場合、回転体が取付時の傾きになっているため、効率的に塔状構造物に取り付けることができる。
【００１０】
・上記回転体設置方法において、前記回転体を、前記昇降部の載置台上で組み立て、前記回転体を載置台から取り外して、前記昇降部に吊り下げることが好ましい。これにより、昇降部の高さを変えることにより、回転体を組み立てる場所を変更することができる。例えば、周囲に木立があるような環境においても、木立の上方で回転体を組み立てることができる。
【００１１】
・上記回転体設置方法において、前記昇降部は、１対の門型フレームと、これら門型フレームを中央で連結する連結部に設けられた吊り下げ部とを備え、前記門型フレームの間に前記ブレードを配置して、前記回転体を組み立て、前記吊り下げ部に吊り下げることが好ましい。これにより、門型フレームの開口部から外側にブレードを突出させて、回転体を立て起こすことができる。
【００１２】
・上記課題を解決するための回転体設置装置は、１対の門型フレームと、前記門型フレームの中央で連結する連結部の吊り下げ部とを備えた昇降部を昇降させるリフトアップ装置を備え、塔状構造物に、複数のブレードを備えた回転体を設置するために用いられる回転体設置装置であって、前記吊り下げ部に吊り下げられた前記回転体のブレードの部位を介錯する介錯部を備える。これにより、昇降部を上昇させることにより、回転体の傾きを変更することができる。
【発明の効果】
【００１３】
本発明によれば、回転体を効率的に立て起こすことができる。
【図面の簡単な説明】
【００１４】
【図１】実施形態におけるリフトアップ装置を説明する斜視図であって、（ａ）はリフトアップ装置の要部の概略斜視図、（ｂ）は取付フレームを設けた昇降部の全体斜視図、（ｃ）は地組フレームを取り付けた昇降部の要部の斜視図。
【図２】実施形態における塔状構造物の設置方法を説明する説明図であって、（ａ）は発電機タワー及びガイドタワーの最下部を取り付けた状態、（ｂ）は昇降部を取り付けた状態、（ｃ）は発電機タワーの中間部を持ち上げた状態、（ｄ）はガイドタワーの中間部を挿入する状態、（ｅ）はガイドタワーの最下部を設置した状態、（ｆ）はナセルを持ち上げて設置する状態を示す。
【図３】実施形態における回転体の設置方法を説明する説明図であって、（ａ）は回転体を組み立てている状態、（ｂ）は回転体を吊るす直前の状態を示す。
【図４】実施形態における回転体の吊り位置を説明する説明図であって、（ａ）は吊るす前の水平状態、（ｂ）は取付時の状態を示す。
【図５】実施形態における回転体の設置方法を説明する説明図であって、（ａ）は回転体を吊るした状態、（ｂ）は回転体を吊るして上昇させた状態を示す。
【図６】実施形態における回転体の設置方法を説明する説明図であって、（ａ）は回転体を発電機タワーまで持ち上げた状態、（ｂ）はガイドタワーを解体した状態を示す。
【発明を実施するための形態】
【００１５】
以下、図１〜図６を用いて、回転体設置方法及びこれに用いられる回転体設置装置の一実施形態を説明する。本実施形態では、回転体を設置する塔状構造物として、ブレードを備えた回転体を発電機タワーに設置する風力発電機について説明する。また、本実施形態では、リフトアップ装置とクレーンとが、回転体設置装置を構成する。
【００１６】
図１（ａ）は、風力発電機を構築する場合に用いるリフトアップ装置１５の昇降部３０がガイドタワー２０に取り付けられている概略斜視図である。図１（ａ）に示すように、リフトアップ装置１５は、ガイドタワー２０と、このガイドタワー２０に沿って昇降する昇降部３０とを備える。
【００１７】
風力発電機の発電機タワー１１は、風力発電機が設置される基礎の上に設置される。発電機タワー１１の周囲には、発電機タワー１１を支持するためのガイドタワー２０を設ける。ガイドタワー２０は、発電機タワー１１の周囲に立設された支柱２１，２２，２３，２４を備える。各支柱２１〜２４は、四角柱形状を成すトラス構造により構成される。ガイドタワー２０の支柱２３、２４の上部以外の各支柱２１〜２４は、隣接する支柱２１〜２４との間に梁２５やトラス梁（図示せず）によって連結される。なお、ガイドタワー２０の支柱２３、２４の上部は連結されずに開放されている。
【００１８】
更に、ガイドタワー２０の各支柱２１〜２４と、発電機タワー１１との間に、支持機構２６を設ける。支持機構２６は、上下方向に離間して、取り付ける。複数の支持機構２６を介して、ガイドタワー２０は発電機タワー１１に支持される。
【００１９】
図１（ｂ）は、リフトアップ装置１５の昇降部３０の拡大斜視図である。
昇降部３０は、コの字形状の水平フレーム３１と、これに連結されている１対の垂直フレーム３２とを備える。各垂直フレーム３２は、水平フレーム３１の支柱２３，２４に対応する位置に、下方に延在する形状で設ける。なお、図１（ｂ）においては、垂直フレーム３２は、支柱２３側のみを示している。
【００２０】
水平フレーム３１は、支柱２３，２４側が開放されており、支柱２１〜２４の外周に取り付けられる。水平フレーム３１は、平行な１対のビーム部３１ａと、ビーム部３１ａの端部を連結する連結部材３１ｂとを備える。各ビーム部３１ａは、その一端部を支柱２３，２４よりも外側に突出するように設ける。
【００２１】
水平フレーム３１には、各支柱２１〜２４に摺接された複数のガイドローラ３３が配設される。また、各垂直フレーム３２には、支柱２３，２４のそれぞれの表面に摺接するガイドローラ３３が配設される。ガイドローラ３３は、上下方向の移動のみを許容し、支柱２１〜２４に案内されて昇降部３０を昇降させる。
【００２２】
各垂直フレーム３２には、昇降部３０を昇降させるための昇降機構３５を設ける。この昇降機構３５は、シリンダ３６及びピストン３７を備えたジャッキを備える。ピストン３７は、シリンダ３６の下方から伸縮可能に延在して設けられる。更に、シリンダ３６の上端部及びピストン３７の下端部には、ピン３５ａを備える。このピン３５ａは、支柱２３，２４側に突出や引込みが可能である。このピン３５ａを、支柱２３、２４のトラス梁の空間（孔）に係合させて、昇降機構３５のジャッキのピストン３７を伸縮させることにより、尺取り虫的な間欠動作により、ガイドタワー２０に沿って、昇降部３０を昇降させる。
【００２３】
水平フレーム３１の各ビーム部３１ａの上面には、それぞれレール３９が敷設される。これらレール３９には、台車Ｔ０の車輪が移動可能な状態で係合される。台車Ｔ０は、レール３９上をビーム部３１ａの延在方向に移動可能である。台車Ｔ０の上方には、取付フレーム４０が着脱可能に取り付けられており、台車Ｔ０の間には、後述する地組フレーム６０が着脱可能に取り付けられる。
【００２４】
＜取付フレーム４０の構成＞
次に、図１（ａ）及び図１（ｂ）に示す取付フレーム４０について説明する。
取付フレーム４０は、１対の門型フレーム４３，４４と、１対の小梁４５、治具取付梁４６、取付部材５１，５２及びチェーンブロック５３，５４を備える。
【００２５】
各門型フレーム４３，４４は、両台車Ｔ０に跨るように立設される。各門型フレーム４３，４４は、１対の柱部と、これら柱部の上端部を連結する大梁とを備える。各門型フレーム４３，４４の柱部のそれぞれは、各台車Ｔ０の端部に立設される。更に、門型フレーム４３の大梁は、中央で分割できるように結合されている。
【００２６】
更に、各門型フレーム４３，４４の大梁を連結する１対の小梁４５が、着脱可能に取り付けられる。１対の小梁４５間には、治具取付梁４６が取り付けられる。１対の小梁４５及び治具取付梁４６が連結部として機能する。治具取付梁４６の下部には、吊り下げ部としての吊り治具（図示せず）が、治具取付梁４６の延在方向に沿って移動可能に取り付けられる。
【００２７】
各門型フレーム４３，４４を構成する柱には、取付部材５１，５２が設けられる。各取付部材５１，５２は、取付柱と、この取付柱の上端部に設けられた回転可能な横梁とを備える。各横梁の下部には、横梁の延在方向に沿って摺動可能なチェーンブロック５３，５４がそれぞれ設けられる。
【００２８】
＜地組フレーム６０の構成＞
次に、図１（ｃ）に示す地組フレーム６０の構成について説明する。回転体Ｒ０を組み立てる際に、地組フレーム６０を、昇降部３０に取り付ける。
【００２９】
地組フレーム６０は、支持フレーム６５と、載置台としてのターンテーブル６７とを備える。支持フレーム６５は、間隔をおいて両台車Ｔ０に取り付けられた２つの横梁と、２つの横梁を中央部で連結する２つの連結部材とから構成される。
【００３０】
そして、支持フレーム６５の横梁及び連結部材の上には、円形のターンテーブル６７が設置される。ターンテーブル６７の内周縁近傍には、回転体の組立時に、回転体のハブを固定する多数のハブ取付孔（図示せず）が穿設されている。
【００３１】
更に、支持フレーム６５には、複数の回転駆動用ジャッキ（図示せず）が設置されている。これら回転駆動用ジャッキのピストンの伸縮を繰り返すことにより、ターンテーブル６７を水平面上で回転させることができる。
【００３２】
＜風力発電機の設置方法＞
次に、図２〜図６を用いて、上述した構成のリフトアップ装置１５を用いて、風力発電機を設置する方法について説明する。
【００３３】
まず、図２（ａ）に示すように、地面に設置した基礎部に、発電機タワー１１の最下部１１ａを立設し、基礎部の上にベースを設置する。そして、発電機タワー１１の最下部１１ａを囲むように、ガイドタワー２０の各支柱２１〜２４の第１部２１ａ，２２ａ，２３ａ，２４ａ及び第２部２１ｂ，２２ｂ，２３ｂ，２４ｂをそれぞれ接続して配置する。
【００３４】
次に、図２（ｂ）に示すように、支柱２３，２４の近傍に支持台７０を設け、ガイドタワー２０の支柱２１〜２４に、昇降部３０を取り付ける。この場合、支持台７０に載置した昇降部３０を、周囲の木立よりも高い位置になるように配置する。更に、昇降部３０には、台車Ｔ０を移動可能に取り付け、この台車Ｔ０上に取付フレーム４０を取り付ける。
【００３５】
次に、取付フレーム４０の治具取付梁４６の吊り治具に、発電機タワーの中間部１１ｂを吊るし、昇降部３０の昇降機構３５を動作させて、昇降部３０及び発電機タワーの中間部１１ｂを持ち上げる。
【００３６】
次に、図２（ｃ）に示すように、ガイドタワー２０の最上部まで持ち上げた発電機タワー１１の中間部１１ｂを、取付フレーム４０のチェーンブロック５３，５４に付け替える。そして、取付フレーム４０を横移動させることにより、発電機タワー１１の中間部１１ｂを、最下部１１ａの上に移動させて接続する。そして、取付フレーム４０を上に配置した昇降部３０を降下させる。
【００３７】
次に、図２（ｄ）に示すように、昇降部３０の昇降機構３５を作動させて、支柱２１〜２４の第１部２１ａ〜２４ａ及び第２部２１ｂ〜２４ｂを持ち上げる。次に、持ち上げた支柱２１〜２４の第２部２１ｂ〜２４ｂの下に台車８０で第３部２１ｃ，２２ｃ，２３ｃ，２４ｃを搬入して、第２部２１ｂ〜２４ｂの下に第３部２１ｃ〜２４ｃを接合する。
【００３８】
この工程を繰り返して、図２（ｅ）に示すように、第４部２１ｄ，２２ｄ，２３ｄ，２４ｄ及び第５部２１ｅ，２２ｅ，２３ｅ，２４ｅを接合して、ガイドタワー２０を高くする。
【００３９】
そして、昇降部３０の取付フレーム４０の治具取付梁４６の吊り治具に発電機タワー１１の最上部１１ｃを吊るして持ち上げ、この最上部１１ｃを、発電機タワー１１の中間部１１ｂの上に移動させて中間部１１ｂに接続し、梁２５及び支持機構２６を配置する。
【００４０】
次に、図２（ｆ）に示すように、降下させた昇降部３０の取付フレーム４０の吊り治具に、風力発電機のナセルＮ０を吊るし、発電機タワー１１の最上部１１ｃまで持ち上げて、発電機タワー１１の最上部１１ｃに取り付ける。
【００４１】
＜回転体の取付方法＞
次に、図３〜図６を用いて、発電機タワー１１に設置されたナセルＮ０に、ハブＨ０及びブレードＢ１を備えた回転体Ｒ０を取り付ける方法について説明する。
【００４２】
ここで、まず、支持台７０の上に載置された昇降部３０上において、回転体Ｒ０を組み立てる。
この場合、図３（ａ）に示すように、昇降部３０の取付フレーム４０を取り外して、昇降部３０の台車Ｔ０に地組フレーム６０を取り付ける。そして、地組フレーム６０のターンテーブル６７のハブ取付孔に、回転体Ｒ０のハブＨ０を取り付ける。そして、ハブＨ０に、３つのブレードＢ１を順次、取り付ける。この場合、ターンテーブル６７を回転させながら、同じ場所においてブレードＢ１を取り付ける。
【００４３】
そして、図３（ｂ）に示すように、回転体Ｒ０の組み立てが完了した場合、昇降部３０の台車Ｔ０に取付フレーム４０を取り付ける。そして、この取付フレーム４０の吊り治具に、回転体Ｒ０を取り付ける。
【００４４】
図４（ａ）は、組み立てを完了した回転体Ｒ０の側面図である。ここでは、手前のブレードＢ１を省略している。この場合、取付フレーム４０の吊り治具に、回転体Ｒ０を取り付ける際には、回転体Ｒ０の吊り位置Ｐ０を吊る。この吊り位置Ｐ０は、ハブＨ０の外周において、２つのブレードＢ１の固定位置の中央に設定された第１の部位である。
【００４５】
更に、図４（ｂ）に示すように、吊り位置Ｐ０で回転体Ｒ０を吊り下げた場合、回転体Ｒ０の重心Ｇ０は、この吊り位置Ｐ０の鉛直直下に移動する。この場合の回転体Ｒ０の傾きが、ナセルＮ０に取り付ける場合の傾きになるように、吊り位置Ｐ０を設定する。
【００４６】
そこで、図３（ｂ）に示すように、回転体Ｒ０を、地組フレーム６０のターンテーブル６７に固定した状態で、取付フレーム４０の吊り治具に、吊り位置Ｐ０で取り付ける。更に、門型フレーム４４から外部に突出したブレードＢ１の先端部（第２の部位）を、ワイヤＷ０を介して、クレーン（図示せず）で支持する。この場合、回転体Ｒ０を立て起こした場合に、下方になるブレードＢ１にワイヤＷ０を固定する。そして、ターンテーブル６７からハブＨ０を切り離し、地組フレーム６０を取り外す。
【００４７】
この場合、図５（ａ）に示すように、回転体Ｒ０は、吊り位置Ｐ０及びワイヤＷ０により吊り下げられる。ここで、回転体Ｒ０は、吊り位置Ｐ０と重心Ｇ０との関係で鉛直状態に立て起きようとするが、ワイヤＷ０を介してクレーンに牽引されるため、水平状態を維持する。
【００４８】
そして、図５（ｂ）に示すように、昇降部３０の昇降機構３５を上昇させ、昇降部３０を持ち上げる。この場合、ブレードＢ１のワイヤＷ０の牽引位置に対して、吊り位置Ｐ０は上昇するため、介錯されたブレードＢ１の先端が回転体Ｒ０の下方となるように、回転体Ｒ０が立て起こされる。そして、重心Ｇ０が吊り位置Ｐ０の鉛直直下になった場合、回転体Ｒ０がナセルＮ０に取り付けられる傾きになる。この場合、ワイヤＷ０による牽引は不要になる。ただし、回転体Ｒ０の不要な揺れ等を抑止するためにワイヤＷ０を接続しておく。
【００４９】
そして、図６（ａ）に示すように、昇降部３０を発電機タワー１１の最上部まで持ち上げる。この場合、回転体Ｒ０は、ナセルＮ０に取り付ける傾きとなる。そして、持ち上げた回転体Ｒ０を、チェーンブロック５３，５４に付け替えた後、取付フレーム４０を横移動させて、回転体Ｒ０をナセルＮ０に取り付ける。
【００５０】
その後、昇降部３０を降下させて、取付フレーム４０を取り外す。更に、昇降部３０及びこの支持台７０を取り外し、ガイドタワー２０を解体する。このガイドタワー２０は、積み上げた際と逆方向となるように、第５部２１ｅ〜２４ｅ、第４部２１ｄ〜２４ｄ、第３部２１ｃ〜２４ｃ、第２部２１ｂ〜２４ｂ及び第１部２１ａ〜２４ａの順番に取り除く。
以上のようにして、図６（ｂ）に示すように、発電機タワー１１の上に設置されたナセルＮ０に回転体Ｒ０が取り付けられた風力発電機の設置が完成する。
【００５１】
本実施形態によれば、以下のような効果を得ることができる。
（１）本実施形態では、リフトアップ装置１５の門型フレーム４４から外部に突出したブレードＢ１の先端部をクレーンで支持し、取付フレーム４０に回転体Ｒ０を吊るす。この場合、回転体Ｒ０の重心Ｇ０に対して、回転体Ｒ０をナセルＮ０への取付時に必要な角度で立て起こし可能な吊り位置Ｐ０で吊るす。そして、回転体Ｒ０を吊り下げた昇降部３０を上昇させながら、ブレードＢ１が地面につかないようにクレーンで介錯しながら回転体Ｒ０を立て起こす。これにより、昇降部３０の上昇を利用して、回転体Ｒ０を効率的に立て起こすことができる。また、ワイヤＷ０を介してブレードＢ１を低い位置で支持すればよいので、大きいクレーンは不要である。
【００５２】
（２）本実施形態では、回転体Ｒ０を吊り位置Ｐ０は、ハブＨ０の外周において、２つのブレードＢ１の固定位置の中央であって、回転体Ｒ０の取付時の姿勢において、回転体Ｒ０の重心Ｇ０の鉛直線上の直上位置に吊り位置Ｐ０を配置する。これにより、吊り位置Ｐ０のみで回転体Ｒ０を吊り下げた場合、回転体Ｒ０の取付時の姿勢を実現でき、効率的に取り付け作業を行なうことができる。
【００５３】
（３）本実施形態では、昇降部３０は、取付フレーム４０及び地組フレーム６０を着脱可能に取り付ける。これにより、地組フレーム６０を用いて回転体Ｒ０を組み立てて、回転体Ｒ０を立て起こしてナセルＮ０に取り付けることができる。
【００５４】
（４）本実施形態では、取付フレーム４０は、１対の門型フレーム４３，４４と、これら門型フレーム４３，４４の中央を連結する小梁４５及び治具取付梁４６を介して取り付けられた吊り治具とを備えている。このため、門型フレーム４３，４４の開口部から外側にブレードＢ１を突出させて、回転体Ｒ０を立て起こすことができる。
【００５５】
また、上記実施形態は、以下のように変更してもよい。
・上記実施形態では、回転体Ｒ０の吊り位置Ｐ０は、ハブＨ０の外周上の２つのブレードＢ１の真ん中であって、回転体Ｒ０を発電機タワー１１に取り付ける傾きにした場合に、回転体Ｒ０の重心Ｇ０の鉛直方向の上方位置に設けた。回転体Ｒ０の吊り位置Ｐ０は、吊り位置Ｐ０のみにおいて吊り下げた場合、回転体Ｒ０の傾きが、ナセルＮ０への取付時の傾きに近ければよく、厳密に一致している必要ない。厳密に一致していない場合においては、ブレードＢ１の先端を介錯したクレーン等を用いて、取付時の傾きになるように牽引する。この場合においても、回転体Ｒ０を効率的に取り付けることができる。
【００５６】
・上記実施形態では、回転体Ｒ０を立て起こす際に、ブレードＢ１の先端を、ワイヤＷ０を介してクレーンで介錯した。立て起こし時に、ブレードＢ１の先端が接地しないようにできれば、クレーンで介錯する場合に限られない。例えば、取付フレーム４０に、回転体Ｒ０のブレードＢ１の先端との距離及び角度を変更可能な介錯部を取り付ける。そして、ブレードＢ１が接地しない高さまで回転体Ｒ０を上昇させた場合、介錯部と支持しているブレードＢ１との距離及び角度を変更し、ブレードＢ１との取付位置を変更する。これにより、クレーンを用いずに、ブレードＢ１の先端を介錯することができる。
【００５７】
・上記実施形態では、リフトアップ装置１５のガイドタワー２０の支柱２１〜２４を、発電機タワー１１の周囲に配置した。支柱２１〜２４の本数は４本に限定されるものではなく、３本であってもよい。また、リフトアップ装置１５の昇降部３０や取付フレーム４０の構成は、上述した構成以外であってもよく、例えば、発電機タワー１１、ナセルＮ０及び回転体Ｒ０を上昇させることができる機構であればよい。
【００５８】
・上記実施形態では、リフトアップ装置１５の昇降部３０は、シリンダ３６及びピストン３７を備えたジャッキを備えた昇降機構３５を用いて昇降させた。昇降部３０を昇降させる構成は、これに限らず、ワイヤ等を用いた公知の昇降機構等であってもよい。
【符号の説明】
【００５９】
Ｂ１…ブレード、Ｇ０…重心、Ｈ０…ハブ、Ｎ０…ナセル、Ｐ０…吊り位置、Ｒ０…回転体、Ｔ０，８０…台車、Ｗ０…ワイヤ、１１…発電機タワー、１１ａ…最下部、１１ｂ…中間部、１１ｃ…最上部、１５…リフトアップ装置、２０…ガイドタワー、２１，２２，２３，２４…支柱、２１ａ，２２ａ，２３ａ，２４ａ…第１部、２１ｂ，２２ｂ，２３ｂ，２４ｂ…第２部、２１ｃ，２２ｃ，２３ｃ，２４ｃ…第３部、２１ｄ，２２ｄ，２３ｄ，２４ｄ…第４部、２１ｅ，２２ｅ，２３ｅ，２４ｅ……第５部、２５…梁、２６…支持機構、３０…昇降部、３１…水平フレーム、３１ａ…ビーム部、３１ｂ…連結部材、３２…垂直フレーム、３３…ガイドローラ、３５…昇降機構、３５ａ…ピン、３６…シリンダ、３７…ピストン、３９…レール、４０…取付フレーム、４３，４４…門型フレーム、４５…小梁、４６…治具取付梁、５１，５２…取付部材、５３，５４…チェーンブロック、６０…地組フレーム、６５…支持フレーム、６７…ターンテーブル、７０…支持台。
【図１】
2018178633.tif 000003
【図２】
2018178633.tif 000004
【図３】
2018178633.tif 000005
【図４】
2018178633.tif 000006
【図５】
2018178633.tif 000007
【図６】
2018178633.tif 000008